(57)【要約】  通信装置（３０）において無線ネットワーク（１）のアクセスノード（２０）にビームレポート（８２３）を送信する方法であって、受信ビーム間の干渉低減を行う能力を通知するために、無線ネットワークに能力表示（８２０）を送信するステップ（８１０、８１７）と、アクセスノードビームスイープ（８０２）の第１のビーム（５０）及び第２のビーム（５１）を受信するステップ（８１２）と、受信ビームについての第１のリンク品質測定基準を特定するステップ（８１４）と、通信装置において適用された干渉低減に基づいて受信ビームについての第２のリンク品質測定基準を特定するステップ（８１５）と、第１及び第２のリンク品質測定基準のうちの少なくとも１つに基づいてビームレポート（８２３）を送信するステップ（８１７）とを含む、方法。【選択図】図１０
2022500964.tif 000002
【特許請求の範囲】
【請求項１】
通信装置（３０）において無線ネットワーク（１）のアクセスノード（２０）にビームレポート（８２３）を送信する方法であって、
受信ビーム間の干渉低減を行う能力を通知するために、前記無線ネットワークに能力表示（８２０）を送信するステップ（８１０、８１７）と、
アクセスノードビームスイープ（８０２）の第１のビーム（５０）及び第２のビーム（５１）を受信するステップ（８１２）と、
前記通信装置において前記第２のビーム（５１）に優先して前記第１のビーム（５０）の受信を選択するために、適用された干渉低減に基づいて前記受信ビーム（５０、５１）についてのリンク品質測定基準（７４）を特定するステップ（８１５）と、
少なくとも当該リンク品質測定基準（７４）に基づいてビームレポート（８２３）を送信するステップ（８１７）と
を含む、方法。
【請求項２】
前記通信装置（３０）における受信ビームの干渉低減を報告するために、前記アクセスノード（２０）から要求信号（８２２）を受信するステップ（８１６）を含み、前記ビームレポート（８２３）は、当該要求信号を受信するステップに応じて、当該リンク品質測定基準に基づいて送信される、請求項１に記載の方法。
【請求項３】
前記通信装置は、ビームフォーミング用に構成されたアンテナ列（３２、３３）を備え、当該能力表示（８２０）には、前記通信装置がビームについて分解可能な角度方向の数の表示が含まれる、請求項１又は２に記載の方法。
【請求項４】
通信用ビーム選択、及び前記通信装置（３０）において干渉低減を適用する命令を示す、前記アクセスノードからの制御信号（８２４）を受信するステップ（８１８）
を含む、請求項１〜３のいずれかに記載の方法。
【請求項５】
当該適用された干渉低減に基づいて、当該第１及び第２のビームのうちの少なくとも１つの想定される減衰の基準（７４、７５）を特定するステップ（８１５）
を含み、当該ビームレポート（８２３）は当該基準を示す、請求項１〜４のいずれかに記載の方法。
【請求項６】
前記通信装置はビームフォーミング用に構成されたアンテナ列（３２、３３）を備え、前記干渉低減は当該アンテナ列のコードブックエントリーの変更により行われる、請求項１〜５のいずれかに記載の方法。
【請求項７】
前記通信装置はビームフォーミング用に構成されたアンテナ列（３２、３３）を備え、前記干渉低減は当該アンテナ列のビーム角度の調整により行われる、請求項１〜５のいずれかに記載の方法。
【請求項８】
前記通信装置はビームフォーミング用に構成されたアンテナ列（３２、３３）を備え、前記干渉低減はゼロフォーシングの適用により行われる、請求項１〜５のいずれかに記載の方法。
【請求項９】
前記第１のアクセスノードビーム（５０）の選択に関係する当該リンク品質測定基準は一次リンク品質測定基準（７４１）であって、
前記通信装置において前記第１のビーム（５１）に優先して前記第２のビーム（５０）の受信を選択するために適用された干渉低減に基づいて、前記受信ビーム（５０、５１）についての二次リンク品質測定基準（７４２）を特定するステップ（８１５）をさらに含み、
当該ビームレポートには、当該一次（７４１）及び当該二次（７４２）のリンク品質測定基準が含まれる、請求項１〜８のいずれかに記載の方法。
【請求項１０】
無線ネットワーク（１）のアクセスノード（２０）においてビームスイープの複数のビームで無線信号を送信する方法であって、
第１のビーム（５０）及び第２のビーム（５１）を送信するステップ（８０２）と、
通信装置（３０）が干渉低減を行う能力を検出するステップ（８００、８０６）と、
前記通信装置（３０）における受信ビームの干渉低減を報告するために、要求信号（８２２）を前記通信装置（３０）に送信するステップ（８０４）と、
前記通信装置（３０）において適用された干渉低減に基づいて、前記第１及び第２のビーム（５０、５１）についてのリンク品質測定基準（７４）を含む、前記通信装置（３０）からのビームレポート（８２３）を受信するステップ（８０６）と
を含む、方法。
【請求項１１】
少なくとも当該ビームレポートに基づいて、前記通信装置（３０）との通信用に少なくとも１つのビームを選択するステップ（８０７）と、
ビーム選択、及び前記通信装置（３０）において干渉低減を適用する命令を示す、前記通信装置への制御信号（８２４）を送信するステップ（８０８）とを含む、請求項１０に記載の方法。
【請求項１２】
無線ネットワーク（１）のアクセスノード（２０）と通信するように構成された通信装置（３０）であって、
‐アクセスノード（２０）から複数のビームで送信される無線信号を受信し、無線信号を送信するために、ビームフォーミング用に構成されたアンテナ配置（３２、３３）と、
‐前記アンテナ配置に接続されたロジック（３１）と、
を備え、当該ロジックは、
受信ビーム間の干渉低減を行う能力を通知するために、前記無線ネットワークに能力表示（８２０）を送信し（８１０、８１７）、
アクセスノードビームスイープ（８０２）の第１のビーム（５０）及び第２のビーム（５１）を受信し（８１２）、
前記通信装置において前記第２のビーム（５１）に優先して前記第１のビーム（５０）の受信を選択するために適用された干渉低減に基づいて、前記受信ビーム（５０、５１）についてのリンク品質測定基準（７４）を特定し（８１５）、
少なくとも当該リンク品質測定基準（７４）に基づいてビームレポート（８２３）を送信する（８１７）ように構成された、通信装置。
【請求項１３】
前記ロジックは、
前記通信装置（３０）における受信ビームの干渉低減を報告するために、前記アクセスノード（２０）から要求信号（８２２）を受信し（８１６）、
当該要求信号を受信するステップに基づいて、前記ビームレポート（８２３）に前記第２のリンク品質測定基準を含むように構成された、請求項１２に記載の通信装置。
【請求項１４】
当該能力表示（８２０）には、ビーム受信のために前記通信装置が分解可能な角度方向の数の表示が含まれる、請求項１２又は１３に記載の通信装置。
【請求項１５】
前記ロジックは、
通信用ビーム選択を示す、前記アクセスノードからの制御信号（８２４）を受信し（８１８）、
当該制御信号の情報に基づいて、前記通信装置（３０）において干渉低減を適用するように構成された、請求項１２〜１４のいずれかに記載の通信装置。
【請求項１６】
‐ビームスイープの複数のビームで無線信号を送信し、通信装置（３０）からの無線信号を受信するために、ビームフォーミング用に構成されたアンテナ配置（２２）と、
‐前記アンテナ配置に接続されたロジック（２１）と、
を備え、当該ロジックは、
第１のビーム（５０）及び第２のビーム（５１）を送信し（８０２）、
前記通信装置（３０）が干渉低減を行う能力を検出し（８００、８０６）、
前記通信装置（３０）における受信ビームの干渉低減を報告するために、要求信号（８２２）を前記通信装置（３０）に送信し（８０４）、
前記通信装置（３０）において適用された干渉低減に基づいて、前記第１及び第２のビーム（５０、５１）についてのリンク品質測定基準を含む、前記通信装置（３０）からのビームレポート（８２３）を受信する（８０６）ように構成された、無線ネットワーク（１）のアクセスノード（２０）。
【請求項１７】
前記ロジックは、
少なくとも当該ビームレポートに基づいて、前記通信装置（３０）との通信用に少なくとも１つのビームを選択し（８０７）、
ビーム選択、及び前記通信装置（３０）において干渉低減を適用する命令を示す制御信号（８２２）を前記通信装置に送信する（８０４）ように構成された、請求項１６に記載のアクセスノード。
【発明の詳細な説明】
【技術分野】
【０００１】
本発明は、無線通信システムの操作方法、特に干渉低減方法に関する。より詳細には、本発明は、ＭＩＭＯ（Multiple-Input  and  Multiple-Output）技術による無線通信システムの操作に関し、通信装置は干渉を低減可能である。本発明はさらに、当該方法に対応するアクセスノード及び無線通信システムに関する。
【背景技術】
【０００２】
携帯音声データ通信の使用の増大により、利用可能な無線周波数資源をより効率的に利用することが求められる。データ伝送の性能及び信頼性を高めるために、装置間で、たとえば、基地局（本明細書においてアクセスノードとも呼ぶ）とユーザー装置（User  Equipment：ＵＥ）（本明細書において通信装置とも呼ぶ）との間で情報を伝送する無線電気通信システムにおいて、いわゆるＭＩＭＯ技術が使用されうる。ＵＥには、携帯電話、モバイルコンピューター、タブレット型コンピューター、又はウェアラブルデバイスなどのモバイル機器、及びパーソナルコンピューターや金銭登録機などの固定式機器が含まれる。ＭＩＭＯ技術を用いるシステムにおいて、機器は複数の送受信アンテナを使用してもよい。たとえば、基地局及びＵＥにはそれぞれ、複数の送受信アンテナが含まれる。ＭＩＭＯ技術は、情報の伝送に時間、スペクトル、及び空間次元を用いる符号化法の基盤となる。高度な符号化がＭＩＭＯシステムで提供されることで、無線通信のスペクトル及びエネルギー効率が向上しうる。
【０００３】
空間次元は空間多重化により用いられることがある。空間多重化は、複数の送信アンテナのそれぞれ又は組み合わせからデータ信号、いわゆるストリームを伝送するための、ＭＩＭＯ通信における伝送技術である。したがって、空間次元は複数回、再利用又は多重化される。さらに、これらのストリームは独立し、別々に符号化されてもよい。
【０００４】
いわゆるＦＤＭＩＭＯ（Full  Dimensional  MIMO）は、３次元で複数の受信機に電力を供給可能なビームの形でアンテナに送信される信号を配置する技術を指す。たとえば、基地局には、２次元の格子上に多数の能動アンテナ素子が含まれることがあり、ＦＤＭＩＭＯ技術を用いることで、同一の時間／周波数資源ブロックにおいて空間的に分離された多くのユーザーを同時にサポートできる。これにより、重複する送信から他の受信機への干渉が低減され、信号の電力が増大する。ビームは、基地局に鑑みて動的であっても静的であってもよい仮想セクターを形成することがある。基地局の多数のアンテナは、無線エネルギーを送信時に空間的に集束させるとともに、指向性かつ高感度の受信を可能にし、スペクトル効率及び放射エネルギー効率を向上させる。基地局の個別のアンテナにおける送信信号を、現在動作状態である受信ＵＥに従って適合させるために、基地局ロジックは、ＵＥと基地局のアンテナとの間の無線チャネル特性についての情報を必要とする場合がある。逆に、ＵＥの個別のアンテナにおける送信信号を適合させるために、ＵＥロジックは、基地局とＵＥのアンテナとの間の無線チャネル特性についての情報を必要とする場合がある。この目的で、ＵＥと基地局との間の無線チャネル特性を明確にするために、いわゆるチャネルサウンディングを実施してもよい。チャネルサウンディングには、あらかじめ定義されたパイロット信号の送信が含まれてもよく、これにより、基地局とＵＥは、無線エネルギーを集束するために信号を送信する、又は特定の方向から無線信号を受信する構成アンテナパラメーターを設定できる。
【０００５】
標準仕様が発展する中、たとえば、第３世代パートナーシッププロジェクト（3rd  Generation  Partnership  Project：３ＧＰＰ）無線アクセスネットワーク（Radio  Access  Network：ＲＡＮ）１  Ｒｅｌｅａｓｅ  １５において、基地局がビーム状の同期信号（いわゆるＳＳバースト）を報知することが規定されている。時間の経過とともに各ビームが各サブバンドにおいて発生しているように、時間領域及び周波数領域において、異なる方向又は偏波を対象とした異なるＳＳバーストが配信される。ＵＥは、ＳＳバーストを待ち受けてもよく、受信信号を用いて周波数及びタイミングを調整してもよい。ＵＥは、最も強力なＳＳバーストに関連する方向を見つけるために、受信ビームを走査又は調整してもよい。基地局は、専用の資源においてビームスイープを繰り返し実行してもよい。送信される各ビームには、チャネル状態情報参照信号（Channel  State  Information-Reference  Signal：ＣＳＩ−ＲＳ）（パイロット）、同期情報、及びビーム識別情報（ビームＩＤ）が含まれる。
【０００６】
接続されたすべてのＵＥの輻輳が集積することは、特に都市部において問題となる。より小さなセクターにセルを分割するというＭＩＭＯの解決策は、基地局の解像度を上げる可能性があり、ビームフォーミングを用いることで空間領域においてユーザーを分けることができる。基本的に、セルは仮想のサブセルに分割され、別々のＵＥは同一の時間／周波数資源を使用して、同時対応が可能である。
【０００７】
ビームフォーミングの概念に関連する課題は、基地局から送信される種々のビームにおける漏洩である。具体的には、低い周波数で、ＵＥ及び基地局の両方において各アンテナ素子のサイズが大きい場合、ＵＥのアンテナが基地局に向けて電力を送出する能力は限定され、アンテナの物理的なサイズが限定されるため、基地局からのビーム幅も広くなる。また、少なくとも特定の周波数で、ＵＥは、たとえば２条のビーム間の境界において、隣接したビームからの干渉を引き起こす及び／又は干渉を受けることがある。図２及び３は、発生しうる課題を模式的に示す図である。基地局ビーム５０、５１が示され、基地局ビームの受信用のＵＥ３０において定められる装置ビーム３６が二重線で描かれている。図２は、そのような課題となるシナリオの１つを示していて、ＵＥ３０は、２条の基地局ビーム５０、５１間の境界に位置し、ＵＥは、ミリ波のシナリオなどにおいて、基地局に向けて装置ビーム３６をビームフォームする。図３は、別のシナリオを示していて、隣接したビーム５１の、物体又は表面３からの反射がＵＥ３０に干渉しているため、アンテナパターンの指向性がより低い（周波数が低い）。そうでなければ、ＵＥは装置ビーム３６において基地局端末からのビーム５０を検出可能である。
【０００８】
上記に鑑みて、従来のＭＩＭＯシステムの上記欠点のうち少なくとも一部に対処する方法及び装置が当該技術分野において必要である。特に、当該技術分野において、基地局とＵＥとの間の通信時に異なる基地局のビーム間で発生する干渉に関する課題を軽減するために、無線通信システムの通信装置及び基地局の動作を改善する必要がある。
【発明の概要】
【発明が解決しようとする課題】
【０００９】
本発明によれば、独立請求項の特徴を組み合わせることにより、上記及びその他の課題を解決する本目的が達成される。従属請求項は、発明の実施形態を定義するものである。
【課題を解決するための手段】
【００１０】
第１の態様によれば、通信装置において使用するために、無線ネットワークのアクセスノードにビームレポートを送信する方法が提供され、この方法は、
受信ビーム間の干渉低減を行う能力を通知するために、前記無線ネットワークに能力表示を送信するステップと、
アクセスノードビームスイープの第１のビーム及び第２のビームを受信するステップと、
前記通信装置において前記第２のビームに優先して前記第１のビームの受信を選択するために、適用された干渉低減に基づいて前記受信ビームについてのリンク品質測定基準を特定するステップと、
少なくとも当該リンク品質測定基準に基づいてビームレポートを送信するステップと
を含む。
【００１１】
一実施形態において、前記方法は、
前記通信装置における受信ビームの干渉低減を報告するために、前記アクセスノードから要求信号を受信するステップを含み、前記ビームレポートは、当該要求信号を受信するステップに応じて、当該リンク品質測定基準に基づいて送信される。
【００１２】
一実施形態において、前記通信装置は、ビームフォーミング用に構成されたアンテナ列を備え、当該能力表示には、前記通信装置がビームについて分解可能な角度方向の数の表示が含まれる。
【００１３】
一実施形態において、前記方法は、
通信用ビーム選択、及び前記通信装置において干渉低減を適用する命令を示す、前記アクセスノードからの制御信号を受信するステップを含む。
【００１４】
一実施形態において、前記方法は、
当該適用された干渉低減に基づいて、当該第１及び第２のビームのうちの少なくとも１つの想定される減衰の基準を特定するステップを含み、当該ビームレポートは当該基準を示す。
【００１５】
一実施形態において、前記通信装置はビームフォーミング用に構成されたアンテナ列を備え、前記干渉低減は当該アンテナ列のコードブックエントリーの変更により行われる。
【００１６】
一実施形態において、前記通信装置はビームフォーミング用に構成されたアンテナ列を備え、前記干渉低減は当該アンテナ列のビーム角度の調整により行われる。
【００１７】
一実施形態において、前記通信装置はビームフォーミング用に構成されたアンテナ列を備え、前記干渉低減はゼロフォーシング（Zero  Forcing：ＺＦ）により行われる。
【００１８】
一実施形態において、前記第１のアクセスノードビームの選択に関係する当該リンク品質測定基準は一次リンク品質測定基準であり、この方法は、
前記通信装置において前記第１のビームに優先して前記第２のビームの受信を選択するために、適用された干渉低減に基づいて前記受信ビームについての二次リンク品質測定基準を特定するステップをさらに含み、
当該ビームレポートには、当該一次及び当該二次リンク品質測定基準が含まれる。
【００１９】
第２の態様によれば、無線ネットワークのアクセスノードにおいて使用するために、ビームスイープの複数のビームで無線信号を送信する方法が提供され、この方法は、
第１のビーム及び第２のビームを送信するステップと、
通信装置が干渉低減を行う能力を検出するステップと、
前記通信装置における受信ビームの干渉低減を報告するために、要求信号を前記通信装置に送信するステップと、
前記通信装置において適用された干渉低減に基づいて、前記第１及び第２のビームについてのリンク品質測定基準を含む、前記通信装置からのビームレポートを受信するステップと
を含む。
【００２０】
一実施形態において、前記方法は、
少なくとも当該ビームレポートに基づいて、前記通信装置との通信用に少なくとも１つのビームを選択するステップと、
ビーム選択、及び前記通信装置において干渉低減を適用する命令を示す制御信号を前記通信装置に送信するステップと
を含む。
【００２１】
第３の態様によれば、無線ネットワークのアクセスノードと通信するように構成された通信装置が提供され、この通信装置は、
‐アクセスノードから複数のビームで送信される無線信号を受信し、無線信号を送信するために、ビームフォーミング用に構成されたアンテナ配置と、
‐前記アンテナ配置に接続されたロジックと、
を備え、このロジックは、
受信ビーム間の干渉低減を行う能力を通知するために、前記無線ネットワークに能力表示を送信し、
アクセスノードビームスイープの第１のビーム及び第２のビームを受信し、
前記通信装置において前記第２のビームに優先して前記第１のビームの受信を選択するために、適用された干渉低減に基づいて前記受信ビームについてのリンク品質測定基準を特定し、
少なくとも当該リンク品質測定基準に基づいてビームレポートを送信する
ように構成される。
【００２２】
一実施形態において、前記ロジックは、
前記通信装置における受信ビームの干渉低減を報告するために、前記アクセスノードから要求信号を受信し、
当該要求信号を受信するステップに基づいて、前記ビームレポートに前記第２のリンク品質測定基準を含む
ように構成される。
【００２３】
一実施形態において、当該能力表示には、ビーム受信のために前記通信装置が分解可能な角度方向の数の表示が含まれる。
【００２４】
一実施形態において、前記ロジックは、
通信用ビーム選択を示す、前記アクセスノードからの制御信号を受信し、
当該制御信制御信号の情報に基づいて、前記通信装置において干渉低減を適用する
ように構成される。
【００２５】
第４の態様によれば、無線ネットワークのアクセスノードが提供され、このアクセスノードは、
‐ビームスイープの複数のビームで無線信号を送信し、通信装置からの無線信号を受信するために、ビームフォーミング用に構成されたアンテナ配置と、
‐前記アンテナ配置に接続されたロジックと、
を備え、このロジックは、
第１のビーム及び第２のビームを送信し、
通信装置が干渉低減を行う能力を検出し、
前記通信装置における受信ビームの干渉低減を報告するために、要求信号を前記通信装置に送信し、
前記通信装置において適用された干渉低減に基づいて、前記第１及び第２のビームについてのリンク品質測定基準を含む、前記通信装置からのビームレポートを受信する
ように構成される。
【００２６】
一実施形態において、前記ロジックは、
少なくとも当該ビームレポートに基づいて、前記通信装置との通信用に少なくとも１つのビームを選択し、
ビーム選択、及び前記通信装置において干渉低減を適用する命令を示す制御信号を前記通信装置に送信する
ように構成される。
【００２７】
第５の態様によれば、通信装置が無線ネットワークのアクセスノードにビームレポートを送信する方法が提供され、この方法は、
受信ビーム間の干渉低減を行う能力を通知するために、前記無線ネットワークに能力表示を送信するステップと、
アクセスノードビームスイープの第１のビーム及び第２のビームを受信するステップと、
前記受信ビームについての第１のリンク品質測定基準を特定するステップと、
前記通信装置において適用された干渉低減に基づいて前記受信ビームについての第２のリンク品質測定基準を特定するステップと、
第１及び第２のリンク品質測定基準のうちの少なくとも１つに基づいてビームレポートを送信するステップと
を含む。
【００２８】
本発明の特定の実施形態及び態様に関連して記載される上記の発明の概要及び下記の発明を実施するための形態において、特定の特徴が説明されるが、特に記載した場合を除き、例示的な実施形態及び態様の特徴を互いに組み合わせてもよいことを理解されたい。
【図面の簡単な説明】
【００２９】
以下に、添付図面を参照しながら、本発明を詳細に説明する。
【００３０】
【図１】図１は、一実施形態に係る無線通信システムを模式的に示す図である。
【図２】図２は、複数のビームで伝送するように構成された、アクセスノードの隣接した２つの異なるビームによる信号の送信、及び通信装置における検出を模式的に示す図である。
【図３】図３は、アクセスノードの２つの異なるビームによる信号の送信を模式的に示す図であり、両ビームが通信装置で受信されるように一方のビームが反射される。
【図６】図６は、一実施形態に係る通信装置における干渉低減のシミュレーションを模式的に示す図であり、１つのビームを優先し、他の２つのビームを選択的に減衰する。
【図７Ａ】図７Ａは、種々の実施形態に係るビームレポートに含まれるデータを模式的に示す図である。
【図７Ｂ】図７Ｂは、種々の実施形態に係るビームレポートに含まれるデータを模式的に示す図である。
【図７Ｃ】図７Ｃは、種々の実施形態に係るビームレポートに含まれるデータを模式的に示す図である。
【図８】図８は、種々の実施形態に係る通信端末において実施されるステップを含むフローチャートを模式的に示す図である。
【図９】図９は、種々の実施形態に係るアクセスノードにおいて実施されるステップを含むフローチャートを模式的に示す図である。
【図１０】図１０は、種々の実施形態に係る通信装置及びアクセスノードを備える無線システムにおいて実施されるステップを含むフローチャートを模式的に示す図である。
【発明を実施するための形態】
【００３１】
以下に、添付図面を参照しながら、本発明の実施形態を詳細に説明する。発明の実施形態の全部ではなく一部を示すものである。実際、本発明はさまざまな形式で具体化されてもよく、本明細書に記載の実施形態に限定されると解釈されるべきではない。これらの実施形態は、本開示が適用可能な法的要件を満たすよう提示される。全体を通して、同じ符号は同じ構成要素を示している。
【００３２】
また、可能な限り、本明細書に記載及び／又は企図される本発明のいずれの実施形態の優位性、特徴、機能、装置、及び／又は動作態様も、本明細書に記載及び／又は企図される本発明の他の実施形態のいずれかにも含まれていてもよく、及び／又はその逆も同様であることを理解されたい。加えて、特に明示した場合を除き、可能な限り、本明細書において単数形で表されるいかなる用語にも複数形が含まれ、複数形で表されるいかなる用語にも単数形が含まれる。本明細書では、「少なくとも１つの」は「１又は複数の」を意味するものとし、これらの表現は同義で用いられる。したがって、本明細書において「１又は複数の」又は「少なくとも１つの」という表現も用いられているが、「１つの」という言葉は「少なくとも１つ」又は「１又は複数の」を意味するものとする。本明細書では、明確な言葉又は必然的な含意により、文脈上、他の意味に解釈すべき場合を除き、「含む」という言葉やその変形は、包括的な意味で用いられる。すなわち、発明の種々の実施形態において、さらなる特徴の存在や付加を除外するのではなく、定められた特徴が存在することを明示するために用いられる。本明細書では、「１式」の要素は、１又は複数の要素を備えることを意味する。
【００３３】
さらに、種々の要素を説明するために、本明細書において「第１の」、「第２の」といった言葉が用いられるが、これらの言葉によって要素が限定されるわけではないことを理解されたい。これらの言葉は、要素を互いに区別するためにのみ用いられる。たとえば、本発明の範囲から逸脱することなく、第１の要素を第２の要素と呼ぶこともでき、同様に、第２の要素を第１の要素と呼ぶこともできる。本明細書では、「及び／又は」という言葉には、１又は複数の列挙された関連する要素のあらゆる組み合わせが含まれる。
【００３４】
図１を参照すると、一般に無線通信やその他の電磁波通信により動作する、無線通信システム１０における無線通信の状況での解決策を説明している。無線通信システム１０は、アクセスノード２０を介して無線ネットワーク１と通信するように構成された、少なくとも１つの無線通信装置３０、４０を備えている。ネットワーク１は、コアネットワーク２と、コアネットワーク２に接続された複数のアクセスノード２０、２０’とを備えてもよい。種々の実施形態において、無線システム１０は、セルラー無線ネットワークを備えてもよく、複数のアクセスノード２０、２０’は、隣接したエリアをカバーし、無線通信装置３０が１つのセルから別のセルへ移動するのに伴って１つのから別のアクセスノードへ通信又は接続を引き渡すように構成されてもよい。このようなシステムにおいて、アクセスノードは一般に基地局と呼ばれる。３ＧＰＰシステムにおいて、ＬＴＥ（Long  Term  Evolution）にはｅＮＢ（evolved  Node  B）という用語が使用され、５Ｇ  ＮＲ（New  Radio）にはｇＮＢ（next  Generation  Node  B）という用語が使用されている。あるいは、アクセスノード２０は、連続しない、又は相関関係のないカバレッジを形成し、たとえば、１又は複数の３ＧＰＰ  ８０２．１１規格に基づいたＷｉ−Ｆｉ（Wireless  Fidelity）アクセスポイント又はホットスポットとして機能してもよい。
【００３５】
本明細書において、アクセスノードという用語は通常、無線通信装置との通信用エアインターフェイスを確立し制御するために使用される、無線ネットワークのエンティティーを示すために用いられる。さらに、通信装置は、アクセスノードと、場合によっては直接又は他の通信装置を介して通信するように構成された無線装置に用いられる用語となる。３ＧＰＰの規格において、このような通信装置は一般にユーザー装置（User  Equipment:ＵＥ）と呼ばれる。
【００３６】
図１は、一実施形態に係る無線通信システム１０を示す図である。無線通信システム１０は、少なくとも１つのアクセスノード２０と、複数の通信装置とを備えている。図１には、２台の通信装置３０及び４０が示されている。アクセスノード２０は、いわゆるＭＩＭＯ技術に対応していてもよく、したがって、アクセスノード２０は多数のアンテナ（たとえば、数十の、又は１００を上回るアンテナ）を有していてもよい。
【００３７】
アクセスノード２０には、図１において円で図示されている複数のアンテナを含む、アンテナ配置２２が含まれる。複数のアンテナのうち１つの例示的なアンテナが、符号２３として参考に示されている。アンテナ２３は、キャリアに２次元又は３次元アンテナ列で配置してもよい。アクセスノード２０には、アンテナ２３用の関連する（図示せず）トランシーバーがさらに含まれてもよい。アクセスノード２０には、アクセスノードロジック２１がさらに含まれる。アクセスノードロジック２１はアンテナ配置２２に接続され、アクセスノードロジック２１には、たとえば、コントローラー、コンピューター、又はマイクロプロセッサーが含まれる。コンピューター可読記憶媒体を備えるように構成されたデータ記憶装置がロジック２１に含まれてもよく、又はロジック２１に接続されてもよい。データ記憶装置は、メモリーを備えてもよく、たとえば、バッファー、フラッシュメモリー、ハードドライブ、取り外し可能媒体、揮発性メモリー、不揮発性メモリー、ランダムアクセスメモリー（Random  Access  Memory：ＲＡＭ）、又はその他の好適な装置のうちの１又は複数であってもよい。通常の配置において、データ記憶装置は、長期のデータ保存のための不揮発性メモリーと、制御部のシステムメモリーとして機能する揮発性メモリーとを備えている。データ記憶装置は、データバスを介してロジック２１のプロセッサーとデータをやりとりしてもよい。データ記憶装置は、非一時的コンピューター可読媒体であると考えられる。ロジック２１の１又は複数のプロセッサーは、本明細書で述べるようにアクセスノード２０の操作を行うために、データ記憶装置又は別個のメモリーに格納された命令を実行してもよい。アクセスノード２０には、さらに他の構成要素（たとえば、電源）が含まれてもよいが、その構成要素は、わかりやすくするために図１には図示していない。図１には１つのアンテナ配置２２のみ示しているが、アクセスノード２０には、複数のアンテナ配置（たとえば、２、３、４、又はそれ以上、たとえば、数十個のアンテナ配置）が含まれてもよく、それらは互いに連携してもよく、互いに近接して配置されても離間して配置されてもよい。
【００３８】
アンテナ配置２２は、特定の方向に、本明細書においてビームと呼ばれる、無線周波数信号（略して無線信号）を送信するように構成されてもよい。５条のビームが図１に図示され、符号５０〜５４として示されている。ビームの構成は静的であっても動的であってもよい。特定の方向への無線周波数信号の送信は、ＭＩＭＯ技術において既知のビームフォーミング技術により実現されうる。接続モードにおいて、通信装置３０は、１条のビーム、又は場合によっては複数のビームを通じてアクセスノード２０と通信可能であってもよい。しかし、アクセスノード２０は、ビームスイーピングによりビームを継続的に通知してもよく、ビームは、１条ずつなど、異なる資源において個別に通知され、その後、通信装置は、１又は複数の検出されたビームを示すレポートをアクセスノード２０に返す機会が与えられる。これは、ビームスイーピングと呼ばれることがある。
【００３９】
アンテナ配置２２には、デュアル偏波アンテナが装備されていてもよいため、あらゆる偏波、たとえば、第１の偏波及び第２の偏波（第１の偏波と第２の偏波とが互いに直交する）の信号を受信及び／又は送信する能力を有してもよい。さらに、特に、空間的に分布したアンテナ配置は、第１の偏波と直交し、第２の偏波と直交する第３の偏波を有する無線周波数信号を送信可能であってもよい。
【００４０】
通信システム１０において、図１に示すように、携帯電話、モバイルコンピューター、据え置き型コンピューター、タブレット型コンピューター、スマートウェアラブルデバイス、又はスマートモバイル機器などの複数の通信装置が配置されてもよい。２台の例示的な通信装置３０及び４０が図１に示されている。通信装置３０及び４０はそれぞれ、アクセスノード２０と通信するように構成されてもよい。
【００４１】
以下に、通信装置３０を詳細に説明する。ただし、通信装置４０には通信装置３０と同様の特徴が含まれてもよいため、同様に機能してもよい。通信装置３０には、１又は複数のアンテナが含まれる。図１に示す例示的な実施形態において、通信装置３０には、２本のアンテナ３２及び３３が含まれる。たとえば、アンテナ３２、３３にはそれぞれ、アンテナパネル又はアンテナ列が含まれてもよいし、アンテナ３２、３３は複数のアンテナを含むアンテナ列により形成されてもよい。さらに、通信装置３０には、ロジック３１が含まれる。ロジック３１には、たとえば、コントローラーやマイクロプロセッサーが含まれてもよい。コンピューター可読記憶媒体を備えるように構成されたデータ記憶装置がロジック３１に含まれてもよく、又はロジック３１に接続されてもよい。データ記憶装置は、メモリーを備えてもよく、たとえば、バッファー、フラッシュメモリー、ハードドライブ、取り外し可能媒体、揮発性メモリー、不揮発性メモリー、ＲＡＭ、又はその他の好適な装置のうちの１又は複数であってもよい。通常の配置において、データ記憶装置は、長期のデータ保存のための不揮発性メモリーと、制御部のシステムメモリーとして機能する揮発性メモリーとを備えている。データ記憶装置は、データバスを介してロジック３１のプロセッサーとデータをやりとりしてもよい。データ記憶装置は、非一時的コンピューター可読媒体であると考えられる。ロジック３１の１又は複数のプロセッサーは、本明細書で述べるように通信装置３０の操作を行うために、データ記憶装置又は別個のメモリーに格納された命令を実行してもよい。通信装置３０には、さらに他の構成要素（たとえば、グラフィカルユーザーインターフェイスやバッテリー）が含まれてもよいが、その構成要素は、わかりやすくするために図１には図示していない。通信装置３０のアンテナ３２、３３は、互いに離間して配置されてもよく、たとえば、２本のアンテナ３２及び３３は、端部に近い通信装置の上面に配置されてもよい。代わりに、１又は複数のアンテナが上面に配置されてもよく、その他のアンテナが通信装置３０の底面に配置されてもよい。２本以上のアンテナ３２、３３がアンテナ配置を形成することで、通信装置３０は、複数の装置ビーム３４、３５（たとえば、複数の受信ビーム及び複数の送信ビーム。本明細書において単に装置ビーム３４、３５と呼ばれる）で無線信号を受信するように構成されてもよい。たとえば、ある装置ビーム３４は、第１の移相による無線信号の受信及び／又は送信用に構成されてもよく、第２の装置ビーム３５は、第２の移相による無線信号の受信及び／又は送信用に構成されてもよい。種々の実施形態において、これは、第１のビーム３４は第１の方向に無線信号を受信及び／又は送信するように構成されるのに対して、第２のビームは第２の方向に無線信号を受信及び／又は送信するように構成されることを意味してもよい。それにより、通信装置３０は、空間的な指向性を持った通信用に構成される。こうした方向は、アンテナ構成、又はアンテナ配置３２、３３に接続された１又は複数の移相器による位相適応によって設定されてもよい。通信装置３０は移動可能であってもよく、アクセスノード２０に対して回転可能であるため、装置ビームの適応及び／又は選択が繰り返し求められてもよい。
【００４２】
本明細書において提供される解決策は、アクセスノード２０が、受信モードで種々のアクセスノードビーム５０、５１から検出され、場合によっては送信モードでアクセスノード２０に引き起こされる干渉を低減する通信装置３０の能力のメリットを得るという概念に基づいている。なお、時分割複信（Time  Division  Duplex：ＴＤＤ）システムにおいて、受信時と送信時の両方に同じ技法が適用されうる理由は、相反性が想定されている場合が多い。この概念では、通信装置３０が、複数のアクセスノードビーム５０、５１の干渉チャネル、又は方向を検出できることが求められる。
【００４３】
３ＧＰＰにより提案されているＮＲ及び３ＧＰＰ−ＬＴＥのＦＤ−ＭＩＭＯなどのＭＩＭＯにより動作する無線システムにおいて、アクセスノード２０は、報知されるビームスイープを実行する。アクセスノード２０の範囲内にある通信装置３０は、異なるアクセスノードビームを継続的に調査し、最も高強度のものを候補として選択する。ＭＩＭＯの場合、これは複数のビームであってもよい。ビームレポートがアクセスノード２０に送信される。ビームレポートには通常、候補リストが含まれる。１又は複数の組のビームは、最終的にアクセスノード２０によって選択される。報知される各アクセスノードビーム５０、５１において、アクセスノードビームの識別情報が伝達され、通信装置３０により検出されてもよい。このアクセスノードビームの識別情報は、端末により利用される、チャネルサウンディング信号など（たとえば、ＣＳＩ−ＲＳ）のパイロット信号の形をとってもよい。通信装置３０がビームフォーミング機能を有する場合、アクセスノードの識別情報は、少なくとも、ある特定のアクセスノードビーム５０の受信用に、装置ビーム３６の方向（コードブック及びパイロット規定プリコーダーの両方）を規定するために使用されてもよい。通信端末３０はさらに、通信装置３０において受信される、隣接するビーム５１から検出したアクセスノードの識別情報を用いて、方向、位相、強度、偏波といった干渉特性を推定してもよい。種々の実施形態において、通信装置３０はさらに、１又は複数の当該ビーム５０、５１、特に、より好適なアクセスノードビーム５０よりも低いリンク品質で受信される隣接するビーム５１からの信号を減衰するように構成されてもよい。種々の実施形態において、これは、ロジック３１により取得されてもよい。ロジック３１は、たとえば、装置３０がプリコーダー又はビームフォーマーを選択する対象となる、コードブックのエントリーを再設計／修正するように構成されてもよく、通信装置３０の動作部を形成する。コードブックベースのプリコーディングにおいて、第１のコードブックエントリーは、広範囲にわたる検索又はその他の好適なアルゴリズムにより、受信電力の最適化に基づいて選択されてもよい。コードブックの再選択には、通信装置３０が、たとえば、広範囲にわたる検索又はその他のアルゴリズムにより、特定の干渉が抑圧される拡張コードブックからもおそらく、別のコードブックエントリーを識別することも含まれてもよい。この操作において、受信電力よりも信号対干渉雑音比（Signal-to-Interference-plus-Noise  Ratio：ＳＩＮＲ）の最適化が優先されてもよい。ある受信アクセスノードビーム５０を選択的に用いるために、１又は複数のビームを減衰する別の技法には、アンテナ配置３２、３３のビーム角度の調整が含まれてもよい。アクセスノードビーム５０は、受信されるダウンリンク（DownLink：ＤＬ）電力に基づいて、最も強力なリンクをもたらすものが選択されてもよい。干渉を抑圧するために、通信装置３０は、ＳＩＮＲを改善するため、装置ビームのビーム方向を調整するように構成されてもよい。さらに他の実施形態において、ＺＦ法、すなわちヌルステアリングが用いられてもよい。通信装置３０は、異なるＤＬパイロットの信号強度に基づいてビームを選択し、たとえば、アクセスノードビーム５０に関連する、最も強力なパイロットのみに基づいて、プリコーダーＷ１＝ｈ＊を計算してもよい。そして、干渉ビーム５１のうちの少なくとも１つからのパイロットに基づいて、通信装置３０は、干渉ビームをゼロにする新しいプリコーダーを計算する。通信装置３０は、異なるビームからパイロットを受信するため、行が通信装置３０のアンテナで、列が到来する基地局（Base  Station：ＢＳ）ビームであるチャネル行列Ｈを計算してもよい。ＺＦプリコーダーは、Ｗ２＝Ｈ＾（Ｈ）＊（Ｈ＊Ｈ＾（Ｈ））＾（−１）、又は異なる表記法でＨ’／（Ｈ’Ｈ）により求められてもよい。また、正規化ＺＦは、ノイズを考慮して干渉ビームを減衰させるために、干渉を最小化するのではなく、ＳＩＮＲを最大化することが考えられる。アンテナ配置３２、３３に関連してロジック３１により干渉を低減する好適な技法を用いることで、たとえば、記載の例のいずれかにより、少なくともアクセスノードビーム５０、５１の受信について（すなわち、ＤＬにおいて）干渉が低減されてもよいが、送信について（すなわち、アップリンク（UpLink：ＵＬ）において）干渉を低減するために適用されてもよい。
【００４４】
図４は、図２と同様のシナリオを模式的に示す図である。ただし、干渉低減が適用されている。同様に、図５は、図３と同様のシナリオを示す図である。ただし、干渉低減が適用されている。これらの図面は、非常に模式的であり、選択的な干渉低減により達成される目的を示すために描かれている。干渉低減は、たとえば、前述の技法のいずれかにより、通信装置におけるアンテナ配置３２、３３のアンテナパターンを調整することで達成されてもよい。通信装置におけるデジタルビームフォーミングにより、アンテナ配置３２、３３を用いて、たとえば、検出されたＣＳＩ−ＲＳに基づいて、受信アクセスノードビーム５０、５１の方向を算出してもよい。アクセスノードビーム５０、５１の方向の検出には、アンテナ配置３２、３３により規定される１又は複数のビームやローブのスイーピングが含まれてもよい。また、２つ以上のアンテナパネル３２、３３における共通のアクセスノードビームの別個の検出は、受信アクセスノードビームの方向を特定するために用いられてもよい。受信アクセスノードビームの検出された方向に基づいて、通信装置３０の受信ローブ又はビーム３６は、選択的な干渉低減が達成するため（すなわち、あるアクセスノードビーム５０の受信が他の（１又は複数の）アクセスノードビーム５１に優先して選択される）、別のアクセスノードビーム５１の受信を抑圧しながら、１つのアクセスノードビーム５０において受信を有利にするように適合されてもよい。これは、たとえば、前述の干渉低減の技法のいずれかを採用して達成されてもよい。一般に、この概念は、相反性が想定されるＴＤＤシステムで機能する。周波数分割複信（Frequency  Division  Duplex：ＦＤＤ）の場合、ＵＬとＤＬとの間の周波数オフセットに応じて、角度方向及びチャネル強度が同じままであってもよい。
【００４５】
図６は、通信装置３０の４つのアンテナ列３２、３３に基づくシミュレーションを示す図である。この例において、所望のビーム５０は６０度で、ｘの印が付いており、２条の干渉ビーム５１、５２はそれぞれ１５度と−１７度で、〇の印が付いている。縦軸は減衰を表し、これは、アクセスノードビームのさまざまな角度における、無線信号の少なくとも受信についてのリンク品質測定基準又は値に対応してもよい。グラフ６１は、干渉低減のためのアンテナ配置の操作なしの、受信についての第１のリンク品質測定基準を表す。第２のグラフ６２は、ＺＦによる干渉低減後の、受信についての第２のリンク品質測定基準を表す。グラフから明らかなように、この例では、６０度の所望のビーム５０は約３ｄＢ低下する一方で、干渉ビーム５１、５２は完全に無効になる。前に述べたように、ＺＦ以外の干渉低減の形が他の実施形態において採用されてもよい。
【００４６】
無線通信システム１０での動作において、通信装置３０は通常、検出されたアクセスノードビーム５０、５１について、信号強度、ゲイン、又はチャネル値などのリンク品質測定基準を、ビームレポートによりアクセスノード２０に報告することが求められる。ビームレポートは、ビーム候補リストと呼ばれてもよい。ビームレポートには、受信アクセスノードビーム５０の識別情報と、通信装置３０により特定された、当該ビーム５０の受信についての検出されたリンク品質測定基準とが含まれることが好ましい。種々の実施形態において、通信装置は、プリコーディング（たとえば、ＺＦ）などの干渉低減が適用される前又は後のリンク品質測定基準を報告するように構成されてもよいし、報告することを選択できてもよい。しかし、アクセスノード２０は、複数端末のシナリオにおいてシステムを最適化するために、セルにおいて、通信装置から送信されるレポートの種類を把握する必要がある。したがって、アクセスノード２０が通信装置３０の状態を認識している場合を除いて、この情報を伝達する必要がある。好適な実施形態において、通信装置は、たとえば、プリコーディングにより干渉低減を行うことができ、ＵＥの能力としてこれを通知する。この通知は、ネットワーク１のいずれかのアクセスノードとの通信により、ネットワーク１への最初のアタッチで行われてもよい。他の実施形態において、この能力は、フラグ、コード、又はビットにより通知されてもよいし、干渉低減が適用されていない状態で、受信ビームの品質測定基準を含むビームレポートなど、ビームレポートに含まれたり添付されたりしてもよい。
【００４７】
種々の実施形態において、通信装置３０における操作について、無線ネットワーク１のアクセスノード２０にビームレポートを送信する方法が提供される。この方法には、受信ビーム間の干渉低減を行う能力を通知するために、無線ネットワークに能力表示を送信するステップが含まれてもよい。通信装置は、アクセスノードビームスイープの第１のビーム５０及び第２のビーム５１など、アクセスノードから複数のビームを受信及び検出してもよい。通信装置３０のロジック３１は、信号強度など、受信ビームについての第１のリンク品質測定基準を特定するように構成されてもよい。ロジック３１はさらに、通信装置３０において適用された干渉低減に基づいて、受信ビーム５０、５１についての第２のリンク品質測定基準を特定するように構成されてもよい。通信装置はさらに、第１及び第２のリンク品質測定基準のうちの少なくとも１つに基づいてビームレポートを送信するように構成されている。種々の実施形態において、通信装置３０は、干渉低減が適用されていない状態で、受信ビームについてのリンク品質測定基準を常に含むように構成される。種々の実施形態において、通信装置３０は、干渉低減が適用された状態でも、リンク品質測定基準を常に含むように構成される。
【００４８】
種々の実施形態において、通信装置３０は、通信装置３０における受信ビームの干渉低減を報告するために、アクセスノード２０から要求信号を受信するように構成されてもよい。通常、このような要求信号は、当該能力表示の検出に応じて、アクセスノードから送信されてもよく、干渉低減の必要性又は要請がアクセスノード２０において特定される。このような要請又は必要性は、アクセスノード２０が提供するセルにおけるトラフィックの全体的な状況に基づいてもよい。一般に、通信端末３０は、干渉低減なしで最強のビーム５０、５１を選択することでメリットを得る。なぜなら、このような干渉低減は、隣接するビームからの干渉を低減するだけでなく、最良のビームを減衰することがあるからである。このような要求信号が通信装置３０で受信される場合、通信装置３０は、ビームレポートに第２のリンク品質測定基準を含むように構成されてもよい。
【００４９】
種々の実施形態において、第２のリンク品質測定基準を特定するように通信装置３０を構成するために、アクセスノード２０からの要求信号は、通信装置３０に対して、あるアクセスノードビームを表示してもよく、他のビームの干渉低減は、当該表示されたビームを優先するように適用される。これは、たとえば、最も強力な、又は最良に受信された第１のビーム５０と、許容できるが弱い第２のビーム５１とを含むビームレポートを通信装置３０が提供した場合に有益となるであろう。トラフィックの全体的な状況及び別の通信装置４０からのビームレポートに基づいて、アクセスノード２０は、少なくとも、通信装置３０において受信されたビームの想定される減衰の基準と、結果として得られる第２の品質リンク測定値に基づいて、その別の通信装置４０にビーム５０を割り当てるように選択してもよい。通信装置３０はさらに、ビームの想定される減衰の基準に基づいて、第２のビーム５１に割り当てられてもよい。
【００５０】
図７Ａは、図６に示した候補ビーム５０、５１、５２を含む例示的なビームレポートを模式的に示す図である。報告されるビームそれぞれについて、アクセスノードビーム識別情報７２が提供される（たとえば、ビーム５０は９、ビーム５１は３、ビーム５２は１）。アクセスノードビーム識別情報７２は、受信ビームで検出される、チャネルサウンディング信号など（たとえば、ＣＳＩ−ＲＳ）のパイロット信号の形をとってもよいし、又はアクセスノード２０が特定のビームと見なすその他の識別情報であってもよい。受信ビームに基づいて通信装置３０が特定した、リンク品質測定基準７３も提供される（たとえば、各ビームの受信に関連する信号強度又はゲイン値）。リンク品質測定基準７３は、干渉低減が適用されていない状態での検出に関連する（たとえば、少なくとも１つのビーム５０についての最も高いリンク品質測定基準、その他の受信ビーム５１、５２について検出される、関連するリンク品質測定基準）。図７Ａにおいて、第２のリンク品質測定基準７４も提供される。これは、適用される干渉低減に基づいて、たとえば、前述の技法のいずれかにより特定され、最良の受信ビーム９を選択することが好ましい。図７Ｂは、図７Ａの実施形態の変形例を示す図である。第１のリンク品質測定基準に基づいて、ビームレポートに列挙されるビーム１、３、９の想定される減衰の基準として、第２のリンク品質測定基準７５が提供される。
【００５１】
図８〜図１０は、本明細書において説明する実施形態の方法ステップを示す。
【００５２】
図８は、無線ネットワーク１のアクセスノード２０と通信するように構成された通信装置３０において実施されるステップを開示する。通信装置３０には、アクセスノード２０から複数のビームで送信される無線信号を受信し、無線信号を送信するために、ビームフォーミング用に構成されたアンテナ配置３２、３３と、アンテナ配置に接続されたロジック３１とが含まれる。
【００５３】
図９は、無線ネットワーク１のアクセスノード２０において実施されるステップを開示する。アクセスノード２０には、ビームスイープの複数のビームで無線信号を送信し、通信装置３０からの無線信号を受信するために、ビームフォーミング用に構成されたアンテナ配置２２と、アンテナ配置に接続されたロジック２１とが含まれる。
【００５４】
図１０は、図８及び９で説明したステップを共通のフローチャートに示し、通信装置３０及びアクセスノード２０の両方により実施されるステップと、両者間で送信される信号とを含む。図１０のステップ８２６により、ビームの報告は繰り返されるのが好適であるのに対して、ビームの選択及び割り当てはビームレポートごとに行われる必要はないことが示されている。
【００５５】
図８及び１０を参照すると、種々の実施形態は、通信装置３０において無線ネットワーク１のアクセスノード２０にビームレポート８２３を送信する方法に関係してもよい。この方法には、受信ビーム間の干渉低減を行う能力を通知するために、無線ネットワークに能力表示８２０を送信するステップ８１０、８１７が含まれてもよい。この能力は、ネットワークアタッチにおいてＵＥの能力を信号で送信するステップ８１０によりネットワーク１のアクセスノード２０、２０’に伝達されてもよい。他の実施形態において、能力表示は別の信号として、又はビームレポート８２３の一部として、アクセスノード２０に伝達されてもよい。
【００５６】
この方法には、共通のアクセスノード２０から、アクセスノードビームスイープ８０２の第１のビーム５０及び第２のビーム５１など、複数のビーム５０〜５５を受信するステップ８１２と、受信ビームについての第１のリンク品質測定基準を特定するステップ８１４とが含まれてもよい。
【００５７】
この方法には、通信装置において適用された干渉低減に基づいて受信ビームについての第２のリンク品質測定基準を特定するステップ８１５が含まれてもよい。通信装置には、ビームフォーミング用に構成されたアンテナ列３２、３３が含まれてもよく、干渉低減は、たとえば、当該アンテナ列のコードブックエントリーの変更及び／又は当該アンテナ列のビーム角度の調整により、及び／又はＺＦの適用により行われてもよい。種々の実施形態において、適用された干渉低減に基づいて受信ビームについての第２のリンク品質測定基準を特定するステップ８１５は、ビームレポートサイクル８２６ごとにデフォルトで行われる必要はなく、干渉低減を特定及び／又は報告するために、アクセスノード２０からの命令又は要求８２２の受信に応じて行われる。
【００５８】
この方法には、第１及び第２のリンク品質測定基準のうちの少なくとも１つに基づいてビームレポート８２３を送信するステップ８１７が含まれてもよい。すなわち、アクセスノードからの要求を検出しなければ、又は２条以上のアクセスノードビーム５０、５１の受信に任意のレベルの干渉が存在することを通信装置３０で検出しなければ、ビームレポート８２３には、減衰なしの最も強力な受信信号（すなわち、第１のリンク品質測定基準）のみが含まれるのが一般的である。
【００５９】
この方法には、通信装置３０における受信ビームの干渉低減を報告するために、アクセスノード２０から要求信号８２２を受信するステップ８１６が含まれてもよく、第２のリンク品質測定基準は、当該要求信号を受信するステップに基づいて、ビームレポート８２３に含まれる。他の実施形態において、通信装置３０は、ステップ８１６において２条以上のアクセスノードビーム５０、５１の受信に任意のレベルの干渉が存在することを単独で特定することにより、ビームレポート８２３に第２のリンク品質測定基準を含めてもよい。
【００６０】
一実施形態において、ビームレポート８２３は、想定される干渉低減について、さらなる情報を伝達する書式に設定される。これは図７Ｃにおいて模式的に示されている。このため、通信装置は、第２のビーム５１に優先して第１のビーム５０の受信を選択するために、適用された干渉低減に基づいて受信ビーム５０、５１についてのリンク品質測定基準７４１を特定８１５するように構成されてもよい。ここで、第１のアクセスノードビーム５０はアクセスノードビーム識別情報９に関連付けられてもよく、第２のアクセスノードビーム５１はアクセスノードビーム識別情報３に関連付けられてもよい。このため、通信装置は、第１のビーム５０に優先して第２のビーム５１の受信を選択するために、適用された干渉低減に基づいて受信ビーム５０、５１についてのリンク品質測定基準７４２を特定８１５するように構成されてもよい。第２のリンク品質測定基準７４には、リンク品質測定基準７４１、７４２の両方が含まれ、送信８１７されるビームレポート８２３にこれらが含まれる。この状況において、リンク品質測定基準７４１は、第１のアクセスノードビーム５０の選択に関係するため、一次リンク品質測定基準７４１と呼ばれてもよい。リンク品質測定基準７４２は、第２のアクセスノードビーム５０の選択に関係するため、二次リンク品質測定基準７４２と呼ばれてもよい。
【００６１】
この方法は、ビームフォーミング用に構成されたアンテナ列３２、３３を含む通信装置３０において行われてもよく、当該能力表示８２０には、ビーム受信のために通信装置が分解可能な角度方向の数の表示が含まれる。これは、アンテナ配置３２、３３を用いることで、少なくともＤＬにおいて通信装置３０が分解又は抑圧可能な放射角（Angle  of  Departure：ＡｏＤ）又は到来角（Angle  of  Arrival：ＡｏＡ）の数に関連付けられる。これは、通信装置がビーム受信を抑圧可能な角度方向の数にも関係する。
【００６２】
この方法には、通信用ビーム選択、及び通信装置３０において干渉低減を適用する命令を示す、アクセスノードからの制御信号８２４を受信するステップ８１８が含まれてもよい。
【００６３】
この方法には、当該適用された干渉低減に基づいて、当該第１及び第２のビームのうちの少なくとも１つの想定される減衰の基準を特定するステップ８１５が含まれてもよく、当該ビームレポート８２３は当該基準を示す。
【００６４】
図９及び１０を参照すると、種々の実施形態は、無線ネットワーク１のアクセスノード２０においてビームスイープの複数のビームで無線信号を送信する方法に関係してもよい。この方法には、第１のビーム５０及び第２のビーム５１を含む、ビームスイープの複数のビームを送信するステップ８０２が含まれてもよい。この方法には、通信装置３０が干渉低減を行う能力を検出するステップ８００、８０６が含まれてもよい。これは、通信装置からネットワーク１へのＵＥ能力の信号送信により検出され、その後、ネットワーク１に格納されてもよい。あるいは、この能力は、通信装置３０から受信されるビームレポート８２３により検出されてもよい。
【００６５】
この方法には、通信装置３０における受信ビームの干渉低減を報告するために、要求信号８２２を通信装置３０に送信するステップ８０４が含まれてもよい。この要求信号は、通信装置３０において特定された干渉低減を常に報告するために、又は任意の期間内にビームレポートごとに干渉低減を報告するために、あるいは後続のビームレポート８２３に対して、命令として送信されてもよい。
【００６６】
この方法には、通信装置３０において適用された干渉低減に基づいて、第１及び第２のビーム５０、５１についてのリンク品質測定基準を含む、通信装置３０からのビームレポート８２３を受信するステップ８０６が含まれてもよい。
【００６７】
この方法には、少なくとも当該ビームレポートに基づいて、通信装置３０との通信用に少なくとも１つのビームを選択するステップ８０７と、ビーム選択、及び通信装置３０において干渉低減を適用する命令を示す、通信装置への制御信号８２４を送信するステップ８０８とが含まれてもよい。
【００６８】
提案した方法により、セルにおける通信装置の取り扱いについて、ネットワーク１、具体的にはアクセスノード２０に対して、さらなる知識が提供される。具体的には、これは、トラフィックの負荷が比較的高い場合に有益となり、種々の通信装置へのビームの割り当ては、通信装置３０において認識される干渉状況に基づいて決定されてもよい。
【図１】
2022500964.tif 000003
【図２】
2022500964.tif 000004
【図３】
2022500964.tif 000005
【図４】
2022500964.tif 000006
【図５】
2022500964.tif 000007
【図６】
2022500964.tif 000008
【図７Ａ】
2022500964.tif 000009
【図７Ｂ】
2022500964.tif 000010
【図７Ｃ】
2022500964.tif 000011
【図８】
2022500964.tif 000012
【図９】
2022500964.tif 000013
【図１０】
2022500964.tif 000014
【国際調査報告】
2022500964.tif 000015
2022500964.tif 000016